(57)【要約】【課題】原稿読取に悪影響が及ばず、分割位置が原稿台への原稿載置位置による制約を受けずに、読取画像を簡単な操作で複数画像に分割可能にする。【解決手段】画像形成装置１０は、画像読取部１１と、表示部４２と、入力部としてのタッチパネル４５と、画像処理部５４とを備える。タッチパネル４５は、表示部４２に表示されているスキャン領域の画像を縦横方向に配列された任意の複数の矩形領域に区分する縦線及び横線の位置を指定する位置指定指示の入力を受け付ける。画像処理部５４は、画像読取部１１による原稿読取で得られた読取画像を、タッチパネル４５で入力が受付けられた位置指定指示が示す縦線及び横線の位置で各矩形領域に分割する。【選択図】図３
2018064212.tif 000002
【特許請求の範囲】
【請求項１】
原稿台上に載置された原稿の画像を読み取る画像読取部と、
前記画像読取部によって原稿読取が行われるスキャン領域を示す画像を表示する表示部と、
前記表示部に表示されている前記スキャン領域を縦横方向に配列された任意の複数の矩形領域に区分する縦線及び横線の位置を指定する位置指定指示の入力を受け付ける入力部と、
前記画像読取部による原稿読取で得られた読取画像を、前記入力部で入力が受付けられた前記位置指定指示が示す前記縦線及び横線の位置で前記各矩形領域に分割する画像処理部と、を備えた画像読取装置。
【請求項２】
前記入力部は、前記各矩形領域のうち、互いに隣り合う２つの矩形領域を合成させる合成指示の入力を受付け、
前記画像処理部は、前記入力部で受付けられた前記合成指示に応じて前記２つの矩形領域を合成させる請求項１に記載の画像形成装置。
【請求項３】
前記画像読取部の動作を制御する制御部を更に備え、
前記制御部は、前記画像読取部による原稿読取で得られた読取画像を前記表示部に表示させ、
前記入力部は、前記表示部に前記スキャン領域として前記読取画像が表示された状態で、前記位置指定指示の入力を受け付け、
前記画像処理部は、前記画像読取部による原稿読取で得られている前記読取画像に対して、前記位置指定指示に基づく前記分割を行う請求項１又は請求項２に記載の画像読取装置。
【請求項４】
前記入力部は、前記各矩形領域の中から、前記画像処理部による分割画像作成の対象とする矩形領域を指定する対象領域指定指示の入力を受け付け、
前記画像処理部は、前記読取画像のうち、前記入力部で受付けられた前記対象領域指定指示が示す矩形領域の画像を、前記分割画像の作成の対象とする請求項１又は請求項２に記載の画像形成装置。
【請求項５】
前記画像読取部の動作を制御する制御部を更に備え、
前記制御部は、前記入力部に前記位置指定指示が受付けられた後に、前記画像読取部に、前記位置指定指示が示す前記縦線の位置及び横線の位置により分割される各矩形領域を読み取らせる請求項４に記載の画像読取装置。
【請求項６】
前記画像処理部は、前記分割した各矩形領域が示す画像毎にファイルを作成する請求項１乃至請求項５のいずれかに記載の画像読取装置。
【請求項７】
請求項１乃至請求項５のいずれかに記載の画像読取装置と、
原稿の画像を記録紙に形成する画像形成部とを備え、
前記制御部は、前記画像形成部に、前記画像処理部により分割された前記各矩形領域が示す画像をそれぞれ異なる記録媒体に対して画像形成を行わせる画像形成装置。
【発明の詳細な説明】
【技術分野】
【０００１】
本発明は、原稿の画像を読み取る画像読取装置及びこれを備えた画像形成装置に関し、特に複数の原稿の画像を同時に読み取って原稿毎に分割された画像を作成する技術に関する。
【背景技術】
【０００２】
画像読取装置では、原稿台に載置された原稿の画像を読み取って、当該原稿についての電子化された画像を作成する。そして、原稿台に載置された複数の原稿を一度に読み取ったときは、各原稿の画像を示す１つの画像が作成される。
【０００３】
一方、下記に示す特許文献１では、原稿台に置かれた原稿を押える押え蓋の下面に特定のパターン（副走査方向に延びる２本の黒線）を形成しておき、原稿台に複数の原稿を適当な間隔で副走査方向に並べて載置して、押え蓋を閉めた状態で、これらの複数の原稿を副走査方向に走査して読み取る。このときに特定のパターン（黒線）が検出された領域を、各原稿の切れ目であると判定して、各原稿の画像を分離して作成する。これにより、原稿台に載置された複数の原稿を一度に読み取って得た画像を原稿毎に分離して、各原稿の画像を作成することができる。
【先行技術文献】
【特許文献】
【０００４】
【特許文献１】特開平１１−２２０５７５号公報
【発明の概要】
【発明が解決しようとする課題】
【０００５】
しかしながら、上記特許文献１では、押え蓋の下面に特定のパターンを形成しているため、原稿を読み取るときに、そのパターンが原稿を透かして読み取られることも生じ得る。一般的には、原稿台上の原稿を、該原稿台（ガラス）を通じて照明して、該原稿の反射光をＣＣＤ等の撮像素子で受光させ、この撮像素子により原稿の画像を読み取るので、照明の光が原稿を透過して押え蓋の下面で反射されると、そのパターンも読み取られ、当該パターンの画像を含む画像が原稿の画像として作成されるおそれがある。また、読み取られた画像を分割する際の分割位置は、原稿台への原稿載置位置によって制約を受ける。
【０００６】
本発明は、上記の事情に鑑みなされたものであり、原稿読取に悪影響を及ぼさず、また、分割位置が原稿台への原稿載置位置によって制約を受けることなく、読み取った画像を簡単な操作で複数の画像に分割可能にすることを目的とする。
【課題を解決するための手段】
【０００７】
本発明の一局面に係る画像読取装置は、原稿台上に載置された原稿の画像を読み取る画像読取部と、前記画像読取部によって原稿読取が行われるスキャン領域を示す画像を表示する表示部と、前記表示部に表示されている前記スキャン領域を縦横方向に配列された任意の複数の矩形領域に区分する縦線及び横線の位置を指定する位置指定指示の入力を受け付ける入力部と、前記画像読取部による原稿読取で得られた読取画像を、前記入力部で入力が受付けられた前記位置指定指示が示す前記縦線及び横線の位置で前記各矩形領域に分割する画像処理部と、を備えたものである。
【０００８】
また、本発明の一局面に係る画像形成装置は、上記画像読取装置と、原稿の画像を記録紙に形成する画像形成部とを備え、前記制御部は、前記画像形成部に、前記画像処理部により分割された前記各矩形領域が示す画像をそれぞれ異なる記録媒体に対して画像形成を行わせるものである。
【発明の効果】
【０００９】
本発明によれば、原稿読取に悪影響を及ぼさず、また、分割位置が原稿台への原稿載置位置によって制約を受けることなく、読み取った画像を簡単な操作で複数の画像に分割することができる。
【図面の簡単な説明】
【００１０】
【図１】本発明の一実施形態かかる画像形成装置を示す断面図である。
【図２】本実施形態の画像形成装置における画像読取部を示す断面図である。
【図３】本実施形態の画像形成装置の構成を示す機能ブロック図である。
【図４】画像読取部のプラテンガラス上に配列された５枚の原稿を含むスキャン領域を示す図である。
【図５】本実施形態の画像形成装置による分割複写機能の設定画面の一例を示す図である。
【図６Ａ】画像形成装置による上記分割複写機能を示すフローチャートである。
【図６Ｂ】本実施形態の画像形成装置における操作部及び表示部を示す図である。
【図６Ｃ】（ａ）〜（ｆ）は、スキャン領域における縦線及び横線を設定するための手順を説明するために用いた図である。
【図７】画像形成装置による上記分割複写機能の他の実施形態を示すフローチャートである。
【図８】（ａ）、（ｂ）は、分割複写機能によりスキャン領域を複数の矩形領域に分割するときの手順の一例を示す図である。
【図９】（ａ）、（ｂ）は、分割複写機能により分割された複数の矩形領域のうちの２つを合成するときの手順を示す図である。
【図１０】（ａ）、（ｂ）は、大きな原稿が配置されたスキャン領域を複数の矩形領域に分割して、原稿の画像の一部を抽出するときの手順を示す図である。
【発明を実施するための形態】
【００１１】
以下、本発明の実施形態について図面を参照して説明する。
【００１２】
図１は、本発明の実施形態にかかる画像形成装置を示す断面図である。本実施形態の画像形成装置１０は、例えば、コピー機能、プリンター機能、スキャナー機能、及びファクシミリ機能のような複数の機能を兼ね備えたＭＦＰ（複合機）である。この画像形成装置１０は、画像読取部１１と、画像形成部１２とを備えている。
【００１３】
画像読取部１１は、原稿を光学的に読み取るスキャナーを有し、この原稿の画像を示す画像データを生成する。
【００１４】
画像形成部１２は、画像読取部１１で生成された画像データによって示される画像を記録紙Ｐに印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、中間転写ベルト５に転写する。これにより、カラーのトナー像（画像）が中間転写ベルト５上に形成される。このカラーのトナー像は、中間転写ベルト５と２次転写ローラー６の間のニップ域Ｎにおいて給紙部７から第１搬送路８を通じて搬送されてきた記録紙Ｐに２次転写させる。
【００１５】
この後、定着装置１５で記録紙Ｐが加熱及び加圧されて、記録紙Ｐ上のトナー像が熱圧着により定着され、更に記録紙Ｐが排出ローラー対１６を通じて排出トレイ１７に排出される。
【００１６】
また、記録紙Ｐの裏面にも画像を記録する場合は、排出ローラー対１６が一旦停止されてから逆回転され、記録紙Ｐが排出ローラー対１６から第２搬送路９へと搬送されて、記録紙Ｐが第１搬送路８のニップ部Ｎに戻され、これにより記録紙Ｐの表裏が反転されて、記録紙Ｐの裏面に画像が記録される。
【００１７】
図２は、本実施形態の画像読取部１１の機械構成を示す断面図である。図２に示すように、画像読取部（特許請求の範囲における画像読取装置の一例）１１は、原稿カバー２０及びスキャナー部３０を備えている。スキャナー部３０の上面の一辺には、ヒンジが設けられており、このヒンジにより原稿カバー２０が開閉可能に支持されて、利用者による原稿カバー２０の開閉操作が可能にされている。
【００１８】
原稿カバー２０が開かれたときには、スキャナー部３０のプラテンガラス(原稿台)３１が開放されて、プラテンガラス３１上に原稿を載置することができ、原稿カバー２０が閉じられると、原稿カバー２０によりプラテンガラス３１上に載置された原稿が押さえられる。スキャナー部３０では、キャリッジ３２及び光学系ユニット３３を一定速度で副走査方向Ｘ（主走査方向Ｙに直交する方向）に移動させつつ、キャリッジ３２の光源３２Ａの光を、プラテンガラス３１を介して原稿に照射し、原稿で反射された光をキャリッジ３２のミラー３２Ｃで反射する。更に、この光は、光学系ユニット３３のミラー３３Ａ及びミラー３３Ｂで反射されて、集光レンズ３４を通じてＣＣＤセンサー３５に入射し、ＣＣＤセンサー３５が原稿の画像を、上記移動に伴って、主走査方向Ｙに延びるライン毎に、副走査方向Ｘの各位置においてに繰り返し読取る。
【００１９】
図３は、画像形成装置１０の主要内部構成を示す機能ブロック図である。図３に示すように画像形成装置１０は、制御ユニット４１と、表示部４２と、画像メモリー４３と、操作部４４と、タッチパネル４５と、画像読取部１１と、画像形成部１２と、記憶部４６とを備えている。
【００２０】
表示部４２は、液晶ディスプレイ（ＬＣＤ：Liquid Crystal Display）や有機ＥＬ（ＯＬＥＤ：Organic Light-Emitting Diode）ディスプレイなどから構成される。表示部４２は、制御部５１による制御の下、画像読取部１１によって原稿読取が行われるスキャン領域を表示する。
【００２１】
画像メモリー４３は、画像読取部１１による原稿読取で得られた読取画像を一時的に記憶する。
【００２２】
操作部４４は、決定キー、スタートキーなどのハードキーを備えている。
【００２３】
表示部４２の画面には、タッチパネル４５が配置されている。タッチパネル４５は、所謂抵抗膜方式や静電容量方式などのタッチパネルであって、タッチパネル４５に対するユーザーの指などの接触（タッチ）を表示部４２の表示画面における接触位置とともに検知して、その接触位置の座標を示す検知信号を制御ユニット４１に出力する。タッチパネル４５及び操作部４４は、特許請求の範囲における入力部の一例である。
【００２４】
タッチパネル４５は、表示部４２に表示されている上記スキャン領域を縦横方向に配列された任意の複数の矩形領域に区分する縦線の位置及び横線の位置を指定する位置指定指示の入力を、例えばユーザーによる上記表示画面への接触操作に基づいて受け付ける。
【００２５】
記憶部４６は、ＨＤＤ（Hard Disk Drive）などの大容量の記憶装置である。
【００２６】
制御ユニット４１は、プロセッサー、ＲＡＭ(Random Access Memory）、及びＲＯＭ（Read Only Memory）などから構成される。上記プロセッサーは、例えば、ＣＰＵ（Central Processing Unit）、ＭＰＵ、又はＡＳＩＣ等である。この制御ユニット４１は、上記のＲＯＭまたは記憶部４６に記憶された制御プログラムが上記のプロセッサーで実行されることにより、制御部５１、及び画像処理部５４として機能する。なお、制御ユニット４１の上記の当該各構成は、上記制御プログラムに基づく上記プロセッサーによる動作によらず、それぞれハード回路により構成されてもよい。
【００２７】
制御部５１は、画像形成装置１０の全体的な動作制御を司る。また、制御部５１は、表示部４２を制御して、画像形成処理に必要な設定項目の入力画面、情報の入力画面、あるいは画像形成装置１０の操作ガイダンスなどを表示させる。
【００２８】
画像処理部５４は、画像読取部１１による原稿読取で得られた読取画像に対して各種の画像処理を施す。例えば、画像処理部５４は、画像読取部１１による原稿読取で得られた読取画像を、タッチパネル４５で入力が受付けられた位置指定指示が示す上記縦線の位置及び横線の位置で上記各矩形領域に分割する。画像処理部５４は、該分割された分割画像毎にファイルを作成する。制御部５１は、当該作成されたファイルを記憶部４６等に記憶させる。或いは、制御部５１は、画像形成部１２に、当該分割された分割画像毎に別々の記録紙Ｐ上に画像形成を行わせる。
【００２９】
次に、画像形成装置１０による分割複写機能を説明する。画像形成装置１０は分割複写機能の実行時、例えば以下に示す処理を行う。図４に例を示すように、５枚の原稿Ｇ１〜Ｇ５が画像読取部１１のプラテンガラス３１上に載置されて、縦方向（主走査方向）Ｙ及び横方向（副走査方向）Ｘに沿って配列されているものとする。この場合に、ユーザーによる操作部４４の操作で入力された原稿読取指示に従って制御部５１が画像読取部１１にスキャン領域Ｓを読み取らせる。制御部５１は、この読取で得られたスキャン領域Ｓを示す画像（各原稿Ｇ１〜Ｇ５を含む）を表示部４２の表示画面に表示させる。
【００３０】
この状態で、ユーザーは、タッチパネル４５をタッチ操作して、表示部４２の表示画面上で、スキャン領域Ｓに対して２本の縦線Ｖ１、Ｖ２及び横線Ｈ１を設定して、各縦線Ｖｌ、Ｖ２及び横線Ｈ１により区分される縦横方向に配列された複数の矩形領域Ｒ１〜Ｒ６を形成する。このとき、各原稿Ｇ１〜Ｇ５の画像がそれぞれ別の矩形領域に含まれるように各縦線Ｖｌ、Ｖ２及び横線Ｈ１を設定することが可能である。このようにすれば、画像処理部５４が、スキャン領域Ｓを示す画像を、縦線Ｖｌ、Ｖ２及び横線Ｈ１で仕切られた各矩形領域を示す画像に分割する。ユーザーが、操作部４４又はタッチパネル４５を操作して印刷指示を入力すると、制御部５１は、画像形成部１２に、矩形領域毎に分割された各分割画像、すなわち、原稿Ｇ１〜Ｇ５の画像を一つずつそれぞれ異なる記録紙Ｐに画像形成させる。
【００３１】
なお、画像形成装置１０は、分割画像作成機能も有する。画像形成装置１０は分割画像作成機能の実行時、分割複写機能と同様に、画像処理部５４により、縦線及び横線で仕切られた各矩形領域を示す画像に分割する。この後、画像処理部５４は、該分割された分割画像毎にファイルを作成する。制御部５１は、当該作成されたファイルを記憶部４６等に記憶させる。
【００３２】
次に、上記の分割複写機能について詳しく説明する。まず、ユーザーが操作部４４を操作して、分割複写機能の実行指示を入力すると、この実行指示に基づいて、制御部５１は、図５に示すような分割複写機能の設定画面６０を表示部４２に表示させる。
【００３３】
この分割複写機能の設定画面６０として、スキャン領域Ｓを表示するスキャン領域表示欄６１、原稿の画像の印刷設定を行うための原稿印刷設定欄６２、スキャン領域Ｓに対して縦線及び横線を設定するための矩形領域設定欄６３、総合印刷設定欄６４、プレビューボタン６５、キャンセルボタン６６、及びスタートボタン６７を、制御部５１が表示させる。
【００３４】
スキャン領域表示欄６１には、画像読取部１１により読み取られた各原稿の画像を含むスキャン領域Ｓが表示されている。また、図５における例では、スキャン領域Ｓの左上の角を原点とし、原点からの横方向の離間距離を示す横方向目盛り７１、原点からの縦方向の離間距離を示す縦方向目盛り７２が表示される。
【００３５】
横方向目盛り７１は、縦線Ｖ１の横方向位置を示すためのものであり、該横方向目盛り７１に交差する縦線のＶ１の交点が該縦線の横方向位置である。すなわち、縦線Ｖ１の横方向位置が、横方向目盛り７１により、原点からの離間距離で表される。
【００３６】
同様に、縦方向目盛り７２は、横線Ｖ２の縦方向位置を示すためのものであり、該縦方向目盛り７２に交差する横線Ｖ２の交点が該横線の縦方向位置となる。横線Ｖ２の縦方向位置が、縦方向目盛り７２により、原点からの離間距離で表される。
【００３７】
また、スキャン領域表示欄６１には、合成ボタン７３、及び非合成ボタン７４が表示される。
【００３８】
原稿印刷設定欄６２には、各矩形領域の配列順序を逐次表示する配列順序表示ボックス７５、原稿の画像の印刷設定を行うための印刷設定項目７６、及び全ての原稿に対する印刷設定を一括して行うための全適用ボタン７８が表示される。
【００３９】
矩形領域設定欄６３には、縦線Ｖ１の位置を設定するための縦線入力欄６３ａ、及び横線Ｖ２の位置を設定するための横線入力欄６３ｂが表示される。縦線入力欄６３ａには、縦線Ｖ１の位置を示す離間距離（Ｖ１、Ｖ２など）が表示され、この離間距離を増減させるためのアップダウンボタン８１ａ、縦線Ｖ１の増設を指示するための増設ボタン８２ａ、縦線Ｖ１の削除を指示するための削除ボタン８３ａが表示される。同様に、横線入力欄６３ｂには、横線Ｖ２の位置を示す離間距離（Ｈ１など）が表示され、この離間距離を増減させるためのアップダウンボタン８１ｂ、横線Ｖ２の増設を指示するための増設ボタン８２ｂ、横線Ｖ２の削除を指示するための削除ボタン８３ｂが表示される。
【００４０】
総合印刷設定欄６４には、原稿の画像の印刷枚数が表示される印刷枚数表示ボックス８４、印刷枚数を増減させるためのアップダウンボタン８５、両面印刷を設定又は非設定とする指示を受け付けるための各チェックボックス８６ａ、８６ｂが表示される。チェックボックス８６ａが選択された場合は、制御部５１により両面印刷を設定する指示が受け付けられる。
【００４１】
この両面印刷の設定時には、制御部５１は、画像形成部１２に、各矩形領域の配列順序に従って、矩形領域に含まれる原稿の画像を記録紙Ｐの表面及び裏面に振り分けて画像形成させる。
【００４２】
例えば、両面印刷に設定された場合、制御部５１は、図４において上段左側から[１]番目の矩形領域に含まれる原稿の画像が１枚目の記録紙Ｐの表面に記録され、上段左側から[２]番目の矩形領域に含まれる原稿の画像が１枚目の記録紙Ｐの裏面に記録され、上段左側から[３]番目の矩形領域に含まれる原稿の画像が２枚目の記録紙Ｐの表面に記録され、以降同様に、矩形領域の配列順序に応じて原稿の画像が記録紙Ｐの表面又は裏面に記録されるように、画像形成部１２を動作させる。
【００４３】
プレビューボタン６５は、画像読取部１１によるプレビュー用の読み取りを行わせる指示を受け付けるためのものである。スタートボタン６７は、画像読取部１１により読み取られてスキャン領域Ｓとしてスキャン領域表示欄６１に表示されている画像を印刷する指示を受け付けるためのものである。キャンセルボタン６６は、分割複写機能の設定などを解除する指示を受け付けるためのものである。
【００４４】
次に、画像形成装置１０による上記分割複写機能を更に詳細に説明する。図６Ａは画像形成装置１０による上記分割複写機能を示すフローチャートである。図６Ｂは本実施形態に係る画像形成装置における操作部及び表示部を示す図である。
【００４５】
制御部５１が、画像形成装置１０の表示部４２の表示画面に、図６Ｂに示すような、画像形成装置１０が有する各機能に対応付けられた複数のタッチキー９１ａ〜９１ｈ等を表示させているものとする。この状態で、ユーザーが「分割複写機能」に対応するタッチキー９１ｈをタッチ操作して、このタッチ操作がタッチパネル４５を通じて制御部５１で受け付けられると、制御部５１が分割複写機能（アプリケーションプログラム）を起動させる（Ｓ１０１）。そして、制御部５１は、図５に例を示すような分割複写機能の設定画面６０を表示部４２に表示させる（Ｓ１０２）。
【００４６】
図５に示す分割複写機能の設定画面６０が表示部４２に表示されているときに、ユーザーによりプレビューボタン６５がタッチ操作されると、制御部５１が原稿読取指示を受け付ける。制御部５１は、画像読取部１１に、スキャン領域Ｓの画像読取を行わせる（Ｓ１０３）。これにより、図４に示す例でいえば、各原稿Ｇ１〜Ｇ５を含むスキャン領域Ｓの画像が読み取られる。制御部５１は、画像読取部１１に読み取られた各原稿Ｇ１〜Ｇ５を含むスキャン領域Ｓの画像を、分割複写機能の設定画面６０におけるスキャン領域表示欄６１に表示させる（Ｓ１０４）。
【００４７】
続いて、ユーザーが、例えば、スキャン領域Ｓを示す画像において２本の縦線Ｖ１、Ｖ２の位置を設定するために矩形領域設定欄６３の縦線入力欄６３ａのアップダウンボタン８１ａ、増設ボタン８２ａを操作し、これらの操作がタッチパネル４５を通じて画像処理部５４で受け付けられると、画像処理部５４が、画像メモリー４３内のスキャン領域Ｓを示す画像データに処理を施して、スキャン領域Ｓにおけるそれぞれの入力位置に２本の縦線Ｖ１、Ｖ２を設定する。同様に、ユーザーがスキャン領域Ｓにおける横線Ｈ１の位置を入力するために横線入力欄６３ｂのアップダウンボタン８１ｂ、増設ボタン８２ｂを操作し、これらの操作がタッチパネル４５を通じて画像処理部５４で受け付けられると、画像処理部５４が、画像メモリー４３内のスキャン領域Ｓを示す画像データに処理を施して、スキャン領域Ｓにおけるその入力位置に横線Ｈ１を設定する。これにより、各縦線Ｖ１、Ｖ２及び横線Ｈ１により区分される６つの矩形領域Ｒ１〜Ｒ６が形成される（Ｓ１０５）。
【００４８】
Ｓ１０５における縦線及び横線の設定処理を更に詳細に説明する。ユーザーにより設定画面６０における矩形領域設定欄６３の縦線入力欄６３ａの増設ボタン８２ａがタッチ操作されたことがタッチパネル４５により受け付けられ、更にその旨を示す信号が制御部５１に受け付けられると、制御部５１は、例えば図６Ｃ（ａ）に示すように、縦線入力欄６３ａに縦線Ｖ１の離間距離（＝０）を表示させる。
【００４９】
続いて、ユーザーによりアップダウンボタン８１ａがタッチ操作されたことがタッチパネル４５により検知され、その旨を示す信号が制御部５１に受け付けられると、制御部５１は、図６Ｃ（ｂ）に示すように縦線Ｖ１の離間距離を当該タッチ操作の内容に応じて増減させて設定し、タッチ操作に応じて、例えば、縦線入力欄６３ａに縦線Ｖ１の離間距離（＝１０）を表示させる。更に、制御部５１は、スキャン領域表示欄６１のスキャン領域Ｓにおける当該離間距離の位置に、縦線Ｖ１を表示させる。
【００５０】
同様に、縦線入力欄６３ａの増設ボタン８２ａが再度タッチ操作されたことがタッチパネル４５により検知され、その旨を示す信号が制御部５１に受け付けられると、制御部５１は、図６Ｃ（ｃ）に示すように縦線入力欄６３ａに縦線Ｖ２の離間距離（＝０）を表示させる。更に、アップダウンボタン８１ａがタッチ操作されたことがタッチパネル４５により検知され、その旨を示す信号が制御部５１に受け付けられると、制御部５１は、図６Ｃ（ｄ）に示すように縦線Ｖ２の離間距離を当該タッチ操作の内容に応じて増減させて設定し、タッチ操作に応じて、例えば、スキャン領域表示欄６１のスキャン領域Ｓにおける当該離間距離が示す位置に縦線Ｖ２を表示させる。
【００５１】
更に、横線入力欄６３ｂの増設ボタン８２ｂがタッチ操作されたことがタッチパネル４５により検知され、その旨を示す信号が制御部５１に受け付けられると、制御部５１は、図６Ｃ（ｅ）に示すように横線入力欄６３ｂに横線Ｈ１の離間距離（＝０）を表示させる。そして、アップダウンボタン８１ｂがタッチ操作されたことがタッチパネル４５により検知され、その旨を示す信号が制御部５１に受け付けられると、制御部５１は、図６Ｃ（ｆ）に示すように横線Ｈ１の離間距離を当該タッチ操作の内容に応じて増減させて設定し、スキャン領域表示欄６１のスキャン領域Ｓにおける当該離間距離の位置に横線Ｈ１を表示させる。
【００５２】
なお、削除ボタン８３ａがタッチ操作されたことがタッチパネル４５により検知され、その旨を示す信号が制御部５１に受け付けられると、制御部５１は、縦線入力欄６３ａにおける縦線の離間距離及びスキャン領域Ｓにおける該縦線を削除する。また削除ボタン８３ｂがタッチ操作されたことがタッチパネル４５により検知され、その旨を示す信号が制御部５１に受け付けられると、制御部５１は、横線入力欄６３ｂにおける横線の離間距離及びスキャン領域Ｓにおける該横線を削除する。
【００５３】
上記操作により、例えば、制御部５１が、スキャン領域表示欄６１に表示されるスキャン領域Ｓにおいて、各縦線Ｖ１、Ｖ２及び横線Ｈ１をそれぞれユーザーが指定する位置に表示させると、このとき、画像処理部５４は、スキャン領域Ｓにおける当該位置に、各縦線Ｖ１、Ｖ２及び横線Ｈ１を設定する。なお、図４に示す例では、この場合、各原稿Ｇ１〜Ｇ５の画像が５つの矩形領域Ｒ１〜Ｒ５にそれぞれ配置されると共に、１つの矩形領域Ｒ６が空白となっている。
【００５４】
この後、ユーザーは、表示部４２の表示画面におけるスキャン領域Ｓを表示する部分をタッチ操作して、印刷対象とする画像部分を指定する。例えば、ユーザーが、縦線Ｖ１、Ｖ２及び横線Ｈ１で区切られた５つの矩形領域Ｒ１〜Ｒ５のうち、矩形領域Ｒ１，Ｒ２，Ｒ３，Ｒ４，Ｒ５に順次タッチ操作を行って、これがタッチパネル４５により受け付けられると、制御部５１は、当該タッチ操作が行われた矩形領域Ｒ１，Ｒ２，Ｒ３，Ｒ４，Ｒ５が示す画像を印刷対象として受け付ける（Ｓ１０８）。また、制御部５１は、当該指定の度に、指定された矩形領域の背景色を変更させて表示部４２に表示させる。これにより、ユーザーは、指定された矩形領域の原稿の画像が印刷対象となることを認識することが容易になる。なお、空白となっている１つの矩形領域Ｒ６については、指定されていないため、ファイル作成対象、又は印刷対象から外されることとなる。
【００５５】
また、制御部５１は、各矩形領域が指定された順番を、画像形成部１２に画像形成を行わせる順番として記憶し、当該順番を原稿印刷設定欄６２の配列順序表示ボックス７５に表示させる。この矩形領域の配列順序の表示中に、ユーザーによる印刷設定項目７６に基づくユーザーによる操作部４４又はタッチパネル４５の操作に従って、制御部５１は、配列順序表示ボックス７５に表示されている番号に対応する矩形領域の画像についての印刷設定（使用する給紙カセットの指定、モノクロ／カラー印刷の指定、加増回転角度の指定等）を受け付ける（Ｓ１０９）。なお、ユーザーが、全適用ボタン７８をタッチ操作すると、これにより入力される指示に基づいて、制御部５１は、印刷対象として受け付けられている各矩形領域が示す画像の全てに、印刷設定項目７６の操作で受け付けられた印刷設定を受け付ける（Ｓ１０９）。
【００５６】
また、ユーザーによる、総合印刷設定欄６４のアップダウンボタン８５をタッチ操作して、５つの矩形領域Ｒ１〜Ｒ５に含まれる各原稿Ｇ１〜Ｇ５の画像の印刷枚数を指定すると、当該指定が制御部５１に受け付けられ、制御部５１は、指定された印刷枚数を印刷枚数表示ボックス８４に表示させる。また、制御部５１は、ユーザーによるチェックボックス８６ａ又はチェックボックス８６ｂへのタッチ操作により、両面印刷又は片面印刷のいずれかの設定を受け付ける。（Ｓ１０９）
【００５７】
この後、ユーザーがスタートボタン６７をタッチ操作すると、制御部５１は、印刷実行指示を受け付け、画像処理部５４は、画像読取部１１によって読み取られたスキャン領域Ｓの画像を分割する処理を行い、印刷対象として受け付けられている矩形領域Ｒ１，Ｒ２，Ｒ３，Ｒ４，Ｒ５を示す各画像（分割画像）を作成する（Ｓ１１０）。
【００５８】
そして、ユーザーによりスタートボタン６７がタッチ操作されて、このタッチ操作がタッチパネル４５を通じて画像処理部５４で受け付けられると、画像処理部５４は、画像メモリー４３内のスキャン領域Ｓを示す画像を、矩形領域Ｒ１〜Ｒ５のそれぞれの矩形領域の画像に分割する。制御部５１は、画像形成部１２に、当該分割された矩形領域Ｒ１〜Ｒ５のそれぞれの画像を、それぞれ別の記録紙Ｐに画像形成する（Ｓ１１１）。
【００５９】
上記実施形態によれば、背景技術の欄に記載した従来技術にみられた問題点、すなわち、原稿読取に悪影響を及ぼすといった問題、また、スキャン領域の画像を分割する位置が原稿台への原稿載置位置によって制約を受けるといった問題を生じさせることなく、画像読取部１１が読み取った画像を簡単な操作で複数の画像に分割することが可能である。また、上記実施形態によれば、当該分割した画像毎に異なる記録紙Ｐへの画像形成が可能になる。
【００６０】
なお、画像形成装置１０が分割画像作成機能を実行する場合は、上記Ｓ１０１〜Ｓ１０８，Ｓ１１０が分割複写機能の実行時と同様に行われ、Ｓ１１０のあと、画像処理部５４が、該分割された分割画像毎にファイルを作成する。制御部５１は、当該作成されたファイルを記憶部４６等に記憶させる。
【００６１】
次に、分割複写機能の他の実施形態を説明する。図７は、分割複写機能の他の実施形態を示すフローチャートである。なお、図６Ａを用いて説明した上記実施形態と同様の処理については説明を省略する。
【００６２】
例えば、図８（ａ）に示すように４枚の原稿Ｇ１〜Ｇ４がプラテンガラス３１上に縦方向Ｙ及び横方向Ｘに配列され、これが画像読取部１１により読み取られたときに、１本の縦線と１本の横線により、スキャン領域Ｓを示す画像を、４枚の原稿Ｇ１〜Ｇ４を含む４つの矩形領域Ｒ１〜Ｒ４に区分することが可能である。このとき、例えば、少なくとも２つの矩形領域Ｒ２、Ｒ４の余白部が広くなることがある。
【００６３】
ユーザーは、操作部４４を操作して、図８（ｂ）に示すように２本の縦線Ｖ１，Ｖ２と１本の横線Ｈ１を設定する指示を入力する。制御部５１は、当該指示に従って、スキャン領域Ｓに対して、４枚の原稿Ｇ１〜Ｇ４を含む４つの矩形領域Ｒ１、Ｒ２、Ｒ４、Ｒ５と空白の矩形領域Ｒ３、Ｒ６を設定する。
【００６４】
ここで、ユーザーが、スキャン領域Ｓを示す画像において、例えば２つの矩形領域Ｒ３、Ｒ６を順次タッチ操作し、続いてスキャン領域表示欄６１における合成ボタン７３をタッチ操作して、これらの操作がタッチパネル４５に受け付けられると、画像処理部５４は、当該２つの矩形領域Ｒ３、Ｒ６を合成する合成指示を受け付ける（Ｓ１０６）。これにより、画像処理部５４は、２つの矩形領域Ｒ３、Ｒ６を合成してなる合成矩形領域Ｒａを生成する（Ｓ１０７）。
【００６５】
例えば、図９（ａ）に示すように、２つの矩形領域Ｒ３、Ｒ６に長形の原稿Ｇ６が配置されており、これを含むスキャン領域Ｓの画像が画像読取部１１に読み取られており、２つの矩形領域Ｒ３、Ｒ６に亘って原稿Ｇ６を示す画像が存在していた場合、上記のように合成矩形領域Ｒａが作成されると、長形の原稿Ｇ６を示す画像をも、図９（ｂ）に示すように、合成矩形領域Ｒａに収めることが可能になる。
【００６６】
この後、ユーザーは、４つの矩形領域Ｒ１〜Ｒ４及び合成矩形領域Ｒａをタッチ操作して、４枚の原稿Ｇ１〜Ｇ４の画像及び長形の原稿Ｇ６を印刷対象として指定する指示を入力すると、制御部５１は、各原稿Ｇ１〜Ｇ４、Ｇ６を示す画像を印刷対象とする画像として受け付け（Ｓ１０８）、この後、ユーザーによりスタートボタン６７がタッチ操作されると、制御部５１は、印刷実行指示を受け付け、画像処理部５４は、画像読取部１１によって読み取られたスキャン領域Ｓの画像を分割する処理を行い、印刷対象として受け付けられている各原稿Ｇ１〜Ｇ４、Ｇ６の画像を含む、４つの矩形領域Ｒ１〜Ｒ４及び合成矩形領域Ｒａを示す画像を作成する（Ｓ１１０）。そして、制御部５１は、画像形成部１２に、当該４つの矩形領域Ｒ１〜Ｒ４及び合成矩形領域Ｒａを示す画像をそれぞれ別の記録紙Ｐに画像形成させる（Ｓ１１１）。
【００６７】
当該他の実施形態によれば、読取対象とする原稿に大きさに合わせて、上記分割対象とする各矩形領域の大きさを調整できるため、画像分割による分割画像のファイル作成時や、分割画像の印刷時における利便性が向上する。
【００６８】
なお、画像形成装置１０が分割画像作成機能を実行する場合は、上記Ｓ１０６及びＳ１０７を含むＳ１０１〜Ｓ１０８，Ｓ１１０が分割複写機能の実行時と同様に行われ、Ｓ１１０のあと、画像処理部５４が、該分割された分割画像毎にファイルを作成する。制御部５１は、当該作成されたファイルを記憶部４６等に記憶させる。
【００６９】
次に、分割複写機能の更なる他の実施形態を説明する。上記図６Ａのフローチャートを参照して説明する。なお、この実施形態では、特に示さない限り、図６Ａを参照して説明した上記実施形態と同様の処理が行われる。例えば、図１０（ａ）に示すように、大きな１枚の原稿Ｇｂがプラテンガラス３１上に配置された場合であっても、上記同様の操作により、原稿Ｇｂを示す全体画像を各画像部分に分割して、分割された各画像部分のうち必要な画像部分を記録紙Ｐに画像形成することが可能である。
【００７０】
例えば、図１０（ｂ）に示すように、ユーザーが操作部４４を操作して、２本の縦線Ｖ１、Ｖ２と２本の横線Ｈ１、Ｈ２を指定する指示を入力すると、画像処理部５４は、当該指示を受け付けて、２本の縦線Ｖ１、Ｖ２と２本の横線Ｈ１、Ｈ２により分割される９つの矩形領域Ｒ１〜Ｒ９を設定する（Ｓ１０５）。ここで、例えば、ユーザーが、スキャン領域Ｓを示す画像上において、中央の矩形領域Ｒ５のみをタッチ操作して指定すると、制御部５１は、この中央の矩形領域Ｒ５に含まれる原稿Ｇｂの画像の部分を印刷対象として受け付け（Ｓ１０８）、指定がない他の矩形領域Ｒ１〜Ｒ４、Ｒ６〜Ｒ９については印刷対象としては受け付けない。
【００７１】
そして、制御部５１が、ユーザーによるスタートボタン６７のタッチ操作に基づいて印刷実行指示を受け付けると、画像処理部５４は、スキャン領域Ｓを示す画像を分割して、印刷対象として指定された上記矩形領域Ｒ５の画像のみからなる分割画像を作成する（Ｓ１１０）。制御部５１は、画像形成部１２に、当該矩形領域Ｒ５の画像を記録紙Ｐに画像形成させる（Ｓ１１１）。
【００７２】
当該実施形態によれば、ユーザーは、簡単な操作で、画像読取部１１によって読み取られたスキャン領域Ｓの画像のうち、所望の画像部分のみを印刷する、又は、所望の画像部分のみをファイルとして残すことが可能である。
【００７３】
なお、画像形成装置１０が分割画像作成機能を実行する場合は、Ｓ１１０まで分割複写機能の実行時と同様に行われ、Ｓ１１０のあと、画像処理部５４が、該分割された分割画像毎にファイルを作成する。制御部５１は、当該作成されたファイルを記憶部４６等に記憶させる。
【００７４】
なお、本発明は上記実施の形態の構成に限られず種々の変形が可能である。例えば、上記実施形態では、画像形成装置１０による分割複写機能及び分割画像作成機能の実行時には、制御部５１は、画像読取部１１に原稿を読み取らせた後、スキャン領域Ｓの画像を、表示部４２に表示する上記設定画面６０のスキャン領域表示欄６１に表示させ、この状態で、画像処理部５４が、ユーザーからの指示を受け付けて縦線及び横線を設定するが、本発明は当該実施形態に限られず、制御部５１が画像読取部１１に原稿を読み取らせる前であって、スキャン領域Ｓの画像をスキャン領域表示欄６１に表示させていない状態のときに（例えば、制御部５１は、白画像を用いて仮想的なスキャン領域Ｓの画像を表示部４２に表示させる）、画像処理部５４が、ユーザーからの指示を受け付けて縦線及び横線を設定するものとしてもよい。このように線及び横線が設定された後に、制御部５１が画像読取部１１に原稿を読み取らせる。
【００７５】
更には、この場合、ユーザーによる指示に基づいて、制御部５１が、印刷対象とする矩形領域を受け付けられた後、スキャン領域Ｓにおける、当該印刷対象とする矩形領域に対応する領域のみを画像読取部１１により原稿読取を行われるようにしてもよい。これにより、画像読取部１１による原稿読取動作を短縮することができる。
【００７６】
また、図１乃至図１０を用いて説明した構成及び処理は、本発明の一実施形態に過ぎず、本発明を当該構成及び処理に限定する趣旨ではない。
【符号の説明】
【００７７】
１０        画像形成装置
１１        画像読取部
１２        画像形成部
４１        制御ユニット
４２        表示部
４４        操作部
４５        タッチパネル
４６        記憶部
５１        制御部
５４        画像処理部
Ｐ          記録紙
【図１】
2018064212.tif 000003
【図２】
2018064212.tif 000004
【図３】
2018064212.tif 000005
【図４】
2018064212.tif 000006
【図５】
2018064212.tif 000007
【図６Ａ】
2018064212.tif 000008
【図６Ｂ】
2018064212.tif 000009
【図６Ｃ】
2018064212.tif 000010
【図７】
2018064212.tif 000011
【図８】
2018064212.tif 000012
【図９】
2018064212.tif 000013
【図１０】
2018064212.tif 000014